(57)【要約】 【課題】上部及び下部偏光板の偏光軸を一致させることにより、サイズを大型化させることのできる表示パネルアセンブリを提供する。【解決手段】第１偏光軸を有する上部偏光板と、前記上部偏光板と対向して配置され、前記上部偏光板の第１偏光軸と同じ方向である第２偏光軸を有する下部偏光板と、前記上部偏光板と下部偏光板との間に配置され、光の透過率を変更して画像を表示する表示パネルと、前記上部偏光板と下部偏光板との間に配置され、所定の方向に偏光された光を前記所定の方向に対して９０°回転させる偏光軸変更ユニットとを有する。【選択図】      図２
2007213071.tif 000002
【特許請求の範囲】
【請求項１】
第１偏光軸を有する上部偏光板と、
前記上部偏光板と対向して配置され、前記上部偏光板の第１偏光軸と同じ方向である第２偏光軸を有する下部偏光板と、
前記上部偏光板と下部偏光板との間に配置され、光の透過率を変更して画像を表示する表示パネルと、
前記上部偏光板と下部偏光板との間に配置され、所定の方向に偏光された光を前記所定の方向に対して９０°回転させる偏光軸変更ユニットとを有することを特徴とする表示パネルアセンブリ。
【請求項２】
前記偏光軸変更ユニットは、上部基板と、
前記上部基板と対向して配置される下部基板と、
前記上部基板と下部基板との間に介在し、前記偏光された光を前記所定の方向に対して９０°回転させる偏光軸変更液晶層とを含むことを特徴とする請求項１に記載の表示パネルアセンブリ。
【請求項３】
前記偏光軸変更液晶層の液晶分子の長手方向の配列方向は前記上部及び下部基板と平行であり、前記偏光軸変更液晶層は、前記下部基板から前記上部基板に向かう間に９０°回転する液晶分子で構成されることを特徴とする請求項２に記載の表示パネルアセンブリ。
【請求項４】
前記偏光軸変更液晶層の液晶分子の長手方向の配列方向は前記上部及び下部基板と平行であり、前記偏光軸変更液晶層は前記所定の方向に対して４５°の角度で傾斜する液晶分子で構成されることを特徴とする請求項２に記載の表示パネルアセンブリ。
【請求項５】
前記偏光軸変更ユニットは、前記下部偏光板と前記表示パネルとの間に配置されることを特徴とする請求項１に記載の表示パネルアセンブリ。
【請求項６】
前記偏光軸変更ユニットは、前記下部偏光板を通過して前記第２偏光軸方向に偏光された光を第２偏光軸に対して９０°回転させることを特徴とする請求項５に記載の表示パネルアセンブリ。
【請求項７】
前記偏光軸変更ユニットは、前記上部偏光板と前記表示パネルとの間に配置されることを特徴とする請求項１に記載の表示パネルアセンブリ。
【請求項８】
前記偏光軸変更ユニットは、前記表示パネルを通過した光を該光の第２偏光軸方向に対して９０°回転させることを特徴とする請求項７に記載の表示パネルアセンブリ。
【請求項９】
前記表示パネルは、第１基板と、前記第１基板と対向して配置される第２基板と、前記第１基板と第２基板との間に配置され、第１基板と第２基板との間に発生する電場によって配列形態が変更される複数の液晶分子で構成される液晶層とを含み、
前記偏光軸変更ユニットは、上部基板と、前記上部基板と対向して配置される下部基板と、前記上部基板と下部基板との間に介在され、前記偏光された光を前記所定の方向に対して９０°回転させる偏光軸変更液晶層とを含むことを特徴とする請求項１に記載の表示パネルアセンブリ。
【請求項１０】
前記液晶層の液晶分子の長手方向の配列方向は、前記電場が発生しない時、前記第１及び第２基板に対して垂直に立つように配列されることを特徴とする請求項９に記載の表示パネルアセンブリ。
【請求項１１】
前記第１基板は第１電圧が印加される共通電極を含み、
前記第２基板は前記第１電圧と異なる第２電圧が印加され、前記第１基板と第２基板との間に前記電場を発生させる画素電極を含むことを特徴とする請求項１０に記載の表示パネルアセンブリ。
【請求項１２】
前記共通電極には互いに所定間隔だけ離隔した複数の第１開口部が形成され、前記画素電極には互いに所定間隔だけ離隔した複数の第２開口部が形成され、
前記第１開口部は隣接する前記第２開口部の間となる位置に形成されることを特徴とする請求項１１に記載の表示パネルアセンブリ。
【請求項１３】
前記第１基板は前記共通電極上に所定の高さで突出し、互いに所定間隔だけ離隔した複数の第１突起部を更に含み、
前記第２基板は前記画素電極上に所定の高さで突出し、互いに所定間隔だけ離隔した複数の第２突起部を更に含み、
前記第１突起部は隣接する前記第２突起部の間となる位置に形成されることを特徴とする請求項１１に記載の表示パネルアセンブリ。
【請求項１４】
前記液晶層の液晶分子の長手方向の配列方向は、前記電場の方向に対して垂直に配列される性質を有することを特徴とする請求項１１に記載の表示パネルアセンブリ。
【請求項１５】
前記第１及び第２基板のうち、いずれか一つの基板は、第１電圧が印加される第１透明電極と、
前記第１電圧と異なる第２電圧が印加され、前記第１透明電極との間で前記電場を発生させる第２透明電極とを含むことを特徴とする請求項９に記載の表示パネルアセンブリ。
【請求項１６】
前記第１及び第２透明電極は、同じ層に形成され、所定距離だけ離隔して形成されることを特徴とする請求項１５に記載の表示パネルアセンブリ。
【請求項１７】
前記第１及び第２透明電極は、互いに異なる層に形成されることを特徴とする請求項１５に記載の表示パネルアセンブリ。
【請求項１８】
前記第１透明電極と第２透明電極との間には、絶縁膜が更に形成されることを特徴とする請求項１７に記載の表示パネルアセンブリ。
【請求項１９】
前記第１透明電極は前記絶縁膜の下面の全領域に形成され、
前記第２透明電極は前記絶縁膜の上面の一部領域に複数個が所定距離だけ離隔して形成されることを特徴とする請求項１８に記載の表示パネルアセンブリ。
【請求項２０】
前記液晶分子の長手方向の配列方向は、前記電場の方向に対して水平に配列される性質を有することを特徴とする請求項１５に記載の表示パネルアセンブリ。
【請求項２１】
前記偏光軸変更ユニットは、前記下部偏光板と前記表示パネルとの間に配置されることを特徴とする請求項９に記載の表示パネルアセンブリ。
【請求項２２】
前記偏光軸変更ユニットは、前記上部偏光板と前記表示パネルとの間に配置されることを特徴とする請求項９に記載の表示パネルアセンブリ。
【発明の詳細な説明】
【技術分野】
【０００１】
本発明は表示パネルアセンブリに関し、より詳細には、サイズを大型化させた表示パネルアセンブリに関する。
【背景技術】
【０００２】
液晶表示装置は、液晶の光透過率を利用して画像を表示する液晶表示パネル及び液晶表示パネルの下部に配置され液晶表示パネルに光を提供するバックライトアセンブリを含む。
【０００３】
液晶表示パネルは、スイッチング素子である薄膜トランジスタが形成された第２基板、第２基板と向かい合って配置されカラーフィルタが形成された第１基板、及び第１基板と第２基板との間に介在される液晶分子で構成された液晶層とを含む。この際、液晶表示パネルは、主にＶＡモードで動作される。
【０００４】
ＶＡモードで動作される液晶表示パネルの液晶分子の長手方向の配列方向は、第１基板と第２基板との間に電場が発生しなかった時、第１及び第２基板に対して垂直に立てて配置され、第１基板と第２基板との間に電場が発生した時、第１及び第２基板に対して平行に配置される。
【０００５】
液晶表示装置は、一般的に液晶表示パネルの上部及び下部に配置された上部偏光板及び下部偏光板を更に含む。この際、液晶表示装置をノーマリブラックに動作させるためには、上部及び下部偏光板は、互いに直交する偏光軸を有しなければならない。即ち、上部及び下部偏光板が互いに直交する偏光軸を有する場合、液晶表示装置は、電場が発生しなかった時に光を遮断し、電場が発生した時に光を通過させる。
【０００６】
一方、近年、より大型画面サイズを有するＴＶの需要が増加することにより、液晶表示装置においても大型化の必要性が増加している。これによって、偏光板のサイズも増大されなければならない。
【０００７】
一般に、偏光板は一方向に原材料を引っ張って、原材料を所望するサイズに切断する工程を通じて製造される。前記工程を通じて製造された偏光板は、前記一方向と直交する偏光軸を有する。
【０００８】
しかし、前記工程を通じて偏光板を製造する場合、一方向と直交する偏光軸を有する偏光板は大型サイズ、一例として、８０インチを超過するサイズを有することができるが、前記一方向と水平な偏光軸を有する偏光板は大型サイズを有するのに限界がある。
【０００９】
このように、偏光板は一方向と直交する偏光軸を有する場合、大型サイズを有することができるが、一方向と水平な偏光軸を有する場合、大型サイズを有することができないので、液晶表示装置のサイズを大型化するのに限界点が生じるという問題があった。
【発明の開示】
【発明が解決しようとする課題】
【００１０】
そこで、本発明は上記従来の表示パネルにおける問題点に鑑みてなされたものであって、本発明の目的は、上部及び下部偏光板の偏光軸を一致させることにより、サイズを大型化させることのできる表示パネルアセンブリを提供することにある。
【課題を解決するための手段】
【００１１】
上記目的を達成するためになされた本発明による表示パネルアセンブリは、第１偏光軸を有する上部偏光板と、前記上部偏光板と対向して配置され、前記上部偏光板の第１偏光軸と同じ方向である第２偏光軸を有する下部偏光板と、前記上部偏光板と下部偏光板との間に配置され、光の透過率を変更して画像を表示する表示パネルと、前記上部偏光板と下部偏光板との間に配置され、所定の方向に偏光された光を前記所定の方向に対して９０°回転させる偏光軸変更ユニットとを有することを特徴とする。
【００１２】
前記偏光軸変更ユニットは、上部基板と、前記上部基板と対向して配置される下部基板と、前記上部基板と下部基板との間に介在し、前記偏光された光を前記所定の方向に対して９０°回転させる偏光軸変更液晶層とを含むことが好ましい。
前記偏光軸変更液晶層の液晶分子の長手方向の配列方向は前記上部及び下部基板と平行であり、前記偏光軸変更液晶層は、前記下部基板から前記上部基板に向かう間に９０°回転する液晶分子で構成されることが好ましい。
前記偏光軸変更液晶層の液晶分子の長手方向の配列方向は前記上部及び下部基板と平行であり、前記偏光軸変更液晶層は前記所定の方向に対して４５°の角度で傾斜する液晶分子で構成されることが好ましい。
前記偏光軸変更ユニットは、前記下部偏光板と前記表示パネルとの間に配置されることが好ましい。
前記偏光軸変更ユニットは、前記下部偏光板を通過して前記第２偏光軸方向に偏光された光を第２偏光軸に対して９０°回転させることが好ましい。
前記偏光軸変更ユニットは、前記上部偏光板と前記表示パネルとの間に配置されることが好ましい。
前記偏光軸変更ユニットは、前記表示パネルを通過した光を該光の第２偏光軸方向に対して９０°回転させることが好ましい。
【００１３】
前記表示パネルは、第１基板と、前記第１基板と対向して配置される第２基板と、前記第１基板と第２基板との間に配置され、第１基板と第２基板との間に発生する電場によって配列形態が変更される複数の液晶分子で構成される液晶層とを含み、前記偏光軸変更ユニットは、上部基板と、前記上部基板と対向して配置される下部基板と、前記上部基板と下部基板との間に介在され、前記偏光された光を前記所定の方向に対して９０°回転させる偏光軸変更液晶層とを含むことが好ましい。
前記液晶層の液晶分子の長手方向の配列方向は、前記電場が発生しない時、前記第１及び第２基板に対して垂直に立つように配列されることが好ましい。
前記第１基板は第１電圧が印加される共通電極を含み、前記第２基板は前記第１電圧と異なる第２電圧が印加され、前記第１基板と第２基板との間に前記電場を発生させる画素電極を含むことが好ましい。
前記共通電極には互いに所定間隔だけ離隔した複数の第１開口部が形成され、前記画素電極には互いに所定間隔だけ離隔した複数の第２開口部が形成され、前記第１開口部は隣接する前記第２開口部の間となる位置に形成されることが好ましい。
前記第１基板は前記共通電極上に所定の高さで突出し、互いに所定間隔だけ離隔した複数の第１突起部を更に含み、前記第２基板は前記画素電極上に所定の高さで突出し、互いに所定間隔だけ離隔した複数の第２突起部を更に含み、前記第１突起部は隣接する前記第２突起部の間となる位置に形成されることが好ましい。
前記液晶層の液晶分子の長手方向の配列方向は、前記電場の方向に対して垂直に配列される性質を有することが好ましい。
【００１４】
前記第１及び第２基板のうち、いずれか一つの基板は、第１電圧が印加される第１透明電極と、前記第１電圧と異なる第２電圧が印加され、前記第１透明電極との間で前記電場を発生させる第２透明電極とを含むことが好ましい。
前記第１及び第２透明電極は、同じ層に形成され、所定距離だけ離隔して形成されることが好ましい。
前記第１及び第２透明電極は、互いに異なる層に形成されることが好ましい。
前記第１透明電極と第２透明電極との間には、絶縁膜が更に形成されることが好ましい。
前記第１透明電極は前記絶縁膜の下面の全領域に形成され、前記第２透明電極は前記絶縁膜の上面の一部領域に複数個が所定距離だけ離隔して形成されることが好ましい。
前記液晶分子の長手方向の配列方向は、前記電場の方向に対して水平に配列される性質を有することが好ましい。
前記偏光軸変更ユニットは、前記下部偏光板と前記表示パネルとの間に配置されることが好ましい。
前記偏光軸変更ユニットは、前記上部偏光板と前記表示パネルとの間に配置されることが好ましい。
【発明の効果】
【００１５】
本発明に係る表示パネルアセンブリによれば、光の偏光軸を９０°回転させる偏光軸変更ユニットを下部偏光板と表示パネルとの間、又は上部偏光板と表示パネルとの間に配置させることにより、上部及び下部偏光板は互いに同じ偏光軸を有することができ、より大きいサイズに表示パネルアセンブリを製造されることができるという効果がある。これによって、上部及び下部偏光板を採用した表示パネルアセンブリはより大型化されたサイズを有することができるという効果がある。
【発明を実施するための最良の形態】
【００１６】
次に、本発明に係る表示パネルアセンブリを実施するための最良の形態の具体例を図面を参照しながら説明する。
【実施例１】
【００１７】
図１は、本発明の第１の実施例による表示パネルアセンブリを示す分解斜視図で、図２は、図１のＩ−Ｉ’線に沿って切断した断面図である。
【００１８】
図１及び図２を参照すると、本実施例による表示パネルアセンブリは、上部偏光板１００、下部偏光板２００、表示パネル３００、及び偏光軸変更ユニット４００を含む。
【００１９】
上部偏光板１００はプレート形状を有し、光を所定の方向に偏光させる第１偏光軸１０を有する。
下部偏光板２００は、上部偏光板１００と対向するように上部偏光板１００の下方に配置される。下部偏光板２００はプレート形状を有し、上部偏光板１００の第１偏光軸１０と同じ方向に形成された第２偏光軸２０を有する。
【００２０】
表示パネル３００は、上部及び下部偏光板１００、２００の間に配置され、光の透過率を変更して画像を表示する。表示パネル３００は、第１基板３１０、第２基板３２０、及び液晶層３３０を含む。
【００２１】
第１基板３１０は、第１透明基板３１２、共通電極３１４、及び第１配向膜３１６を含む。
第１透明基板３１２はプレート形状を有し、石英、ガラス等のような透明な物質からなる。
【００２２】
共通電極３１４は、第１透明基板３１２上に（図２上では下に、以下同様）形成され、透明な導電性物質からなる。一例として、共通電極３１４は、酸化スズインジウム（ＩＴＯ）、酸化亜鉛インジウム（ＩＺＯ）、アモルファス酸化スズインジウム（ａ−ＩＴＯ）等からなる。共通電極３１４には、互いに所定間隔だけ離隔した複数の第１開口部が形成される。即ち、共通電極３１４は、第１透明基板３１２の全面に形成された後、共通電極３１４の一部がエッチングされ、互いに所定間隔だけ離隔した第１開口部が形成される。
【００２３】
共通電極３１４には、外部の電源共通ユニット（図示せず）から第１電圧が印加される。第１電圧は、一例として、グラウンド電圧であることが好ましい。
第１配向膜３１６は、共通電極３１４をカバーするように第１透明基板３１２上に形成される。
【００２４】
図示していないが、第１基板３１０は、光を透過させて色を表現するカラーフィルタを更に含むことができる。カラーフィルタは、平面的に見た時、マトリックス形態に配置される。カラーフィルタには、一例として、赤色カラーフィルタ、緑色カラーフィルタ、及び青色カラーフィルタ等がある。
【００２５】
第２基板３２０は第１基板３１０と対向するように配置され、第２透明基板３２２、画素電極３２４、及び第２配向膜３２６を含む。
第２透明基板３２２はプレート形状を有し、第１透明基板３１２と同様に石英、ガラス等のような透明な物質からなる。
【００２６】
画素電極３２４は、共通電極３１４と向かい合うように第２透明基板３２２上に形成される。画素電極３２４は、共通電極３１４と同じ透明な導電性物質からなる。
画素電極３２４は、第１基板３１０に形成されたカラーフィルタと対応する位置に形成される。即ち、画素電極３２４は、平面的に見た時、マトリックス形態に配置される。
【００２７】
画素電極３２４には、互いに所定間隔だけ離隔した複数の第２開口部が形成される。即ち、画素電極３２４は、第２透明基板３２２の全面に形成された後、画素電極３２４の一部がエッチングされ、互いに所定間隔だけ離隔した第２開口部が形成される。この際、第２開口部は、前記第１開口部の間、好ましく、第１開口部の中間位置に対応した位置に形成される。
【００２８】
画素電極３２４には、外部の電源供給ユニット（図示せず）から第１電圧と異なる第２電圧が印加される。この際、第２電圧は、第１電圧より高いか、又は低い。ここで、画素電極３２４に第２電圧が印加される場合、共通電極３１４と画素電極３２４との間には電場が発生する。一方、画素電極３２４にいかなる電圧も印加されない場合、共通電極３１４と画素電極３２４との間には電場が発生しない。
【００２９】
第２配向膜３２６は、画素電極３２４をカバーするように第２透明基板３２２上に形成される。
液晶層３３０は第１基板３１０と第２基板３２０との間に配置され、第１基板３１０と第２基板３２０との間に発生した電場によって配列形態が変更される複数の液晶分子３３２で構成される。
【００３０】
液晶分子３３２の長手方向の配列方向は、電場が発生しなかった場合、第１及び第２配向膜３１６、３２６によって配列形態が決定される。本実施例による液晶分子３３２は、電場が発生しなかった場合、第１及び第２配向膜３１６、３２６によって第１及び第２基板３１０、３２０に対して垂直に立つように配置される。
【００３１】
一方、本実施例による液晶分子３３２は、電場が発生した場合、電場の方向に対して直交して配置される。即ち、液晶分子３３２は、電場の方向に対して直交して配列される性質を有するネガティブ液晶分子である。
【００３２】
偏光軸変更ユニット４００は、上部偏光板１００と下部偏光板２００との間に配置され、一方向に偏光された光を前記一方向に対して９０°回転させる。
【００３３】
図２を参照すると、偏光軸変更ユニット４００は、下部偏光板２００と表示パネル３００との間に配置され、下部偏光板２００を透過した光を下部偏光板２００の第２偏光軸２０に対して９０°回転させる。
【００３４】
偏光軸変更ユニット４００は、上部基板４１０、下部基板４２０、及び偏光軸変更液晶層４３０を含む。
上部基板４１０は、上部透明基板４１２及び上部配向膜４１４を含む。上部透明基板４１２はプレート形状を有し、石英、ガラス等のような透明な物質からなる。図に示すように、上部配向膜４１４は、上部透明基板４１２の全面に形成される。
【００３５】
下部基板４２０は上部基板４１０と対向するように配置され、下部透明基板４２２及び下部配向膜４２４を含む。下部透明基板４２２はプレート形状を有し、上部透明基板４１２と同様に石英、ガラス等のような透明な物質からなる。下部配向膜４２４は、上部配向膜４１４と向かい合うように下部透明基板４２２の全面に形成される。
【００３６】
偏光軸変更液晶層４３０は、上部基板４１０と下部基板４２０との間に介在して、光の偏光軸を９０°回転させる。本実施例による偏光軸変更液晶層４３０は、ＴＮモードの液晶分子４３２からなる。即ち、偏光軸変更液晶層４３０の液晶分子４３２の長手方向の配列方向は、上部基板４１０と下部基板４２０との間に平行に配置され、下部基板４１０から上部基板４２０に行くにしたがって徐々に９０°回転する。
【００３７】
図２を更に参照して光の通過経路を簡単に説明する。まず、下部偏光板２００の下部で発生した光は下部偏光板２００を透過しながら、第２偏光軸２０と平行な第１方向に偏光される。第１方向に偏光された光は、偏光軸変更ユニット４００を透過しながら、第１方向に対して９０°回転して第１方向と直交する第２方向に偏光される。第２方向に偏光された光は、電場が発生していない表示パネル３００をそのまま透過する。表示パネル３００を透過した光は第２方向に偏光されているので、第１方向と平行な第１偏光軸１０を有する上部偏光板１００を透過しない。
【００３８】
図３は、図２で第１基板と第２基板との間に電場が発生した状態を示す断面図である。図３を参照して、表示パネル３００に電場が発生した状態での光の通過経路を簡単に説明する。
【００３９】
まず、下部偏光板２００の下部で発生された光は、下部偏光板２００を透過しながら、第２偏光軸２０と平行な第１方向に偏光される。第１方向に偏光された光は、偏光軸変更ユニット４００を透過しながら、第１方向に対して９０°回転して第２方向に偏光される。第２方向に偏光された光は電場が発生した表示パネル３００を透過しながら、第２方向に対して９０°回転して、更に第１方向に偏光される。第１方向に偏光された光は、第１方向と平行な第１偏光軸１０を有する上部偏光板１００をそのまま透過する。
【００４０】
このような本実施例によれば、光の偏光軸を９０°回転させる偏光軸変更ユニット４００を下部偏光板２００と表示パネル３００との間に配置させることにより、上部及び下部偏光板１００、２００は、互いに同じ偏光軸を有することができる。ここで、上部及び下部偏光板１００、２００は、互いに同じ偏光軸を有する場合、上部及び下部偏光板１００、２００は、より大きいサイズ、一例として８０インチ以上のサイズを有することができる。これによって、上部及び下部偏光板１００、２００を採用した表示パネルアセンブリは、より大型化されたサイズを有することができる。
【実施例２】
【００４１】
図４は、本発明の第２の実施例による表示パネルアセンブリを示す断面図である。本発明の他の実施例による表示パネルアセンブリは、偏光軸変更ユニットの位置を除いては、上述した図２及び図３の表示パネルアセンブリと同じ構成を有するので、その重複説明は省略し、同じ構成要素には同じ参照符号及び名称を使用する。
【００４２】
図４を参照すると、本実施例による表示パネルアセンブリは、上部偏光板１００、下部偏光板２００、表示パネル３００、及び偏光軸変更ユニット４００を含む。
上部偏光板１００は、光を所定の方向に偏光させる第１偏光軸１０を有する。下部偏光板２００は、上部偏光板１００と対向するように上部偏光板１００の下方に配置され、下部偏光板２００は上部偏光板１００の第１偏光軸１０と同じ方向に形成された第２偏光軸２０を有する。
【００４３】
表示パネル３００は、上部偏光板１００と下部偏光板２００との間に配置され、光の透過率を変更して画像を表示する。表示パネル３００は、第１基板３１０、第２基板３２０、及び液晶層３３０を含む。
【００４４】
偏光軸変更ユニット４００は、上部偏光板１００と下部偏光板２００との間に配置され、一方向に偏光された光を一方向に対して９０°回転させる。具体的に説明すると、偏光軸変更ユニット４００は、上部偏光板１００と表示パネル３００との間に配置され、表示パネル３００を透過した光の偏光軸を９０°回転させる。
【００４５】
このような本実施例によれば、光の偏光軸を９０°回転させる偏光軸変更ユニット４００を上部偏光板１００と表示パネル３００との間に配置させることにより、上部及び下部偏光板１００、２００は、互いに同じ偏光軸を有することができ、これによって表示パネルアセンブリはより大型化されたサイズを有することができる。
【００４６】
しかし、本実施例のように、偏光軸変更ユニット４００が上部偏光板１００と表示パネル３００との間に配置される場合、画像が表示される視野角が減少するおそれがあるので、図１及び図２のように偏光軸変更ユニット４００が下部偏光板２００と表示パネル３００との間に配置されることがより好ましい。
【実施例３】
【００４７】
図５は、本発明の第３の実施例による表示パネルアセンブリを示す断面図である。本発明の第３の実施例による表示パネルアセンブリは偏光軸変更ユニットを除いては、上述した図２及び図３の表示パネルアセンブリと同じ構成を有するので、その重複説明は省略し、同じ構成要素には同じ参照符号及び名称を使用する。
【００４８】
図５を参照すると、本実施例による表示パネルアセンブリは、上部偏光板１００、下部偏光板２００、表示パネル３００、及び偏光軸変更ユニット５００を含む。
上部偏光板１００は、光を所定の方向に偏光させる第１偏光軸１０を有する。下部偏光板２００は、上部偏光板１００と対向するように上部偏光板１００の下方に配置され、下部偏光板２００は上部偏光板１００の第１偏光軸１０と同じ方向に形成された第２偏光軸２０を有する。
【００４９】
表示パネル３００は、上部偏光板１００と下部偏光板２００との間に配置され、光の透過率を変更して画像を表示する。表示パネル３００は、第１基板３１０、第２基板３２０、及び液晶層３３０を含む。
【００５０】
偏光軸変更ユニット５００は上部偏光板１００と下部偏光板２００との間に配置され、一方向に偏光された光を一方向に対して９０°回転させる。例えば、偏光軸変更ユニット５００は、下部偏光板２００と表示パネル３００との間に配置され、下部偏光板２００を透過した光の偏光軸を９０°回転させる。
【００５１】
偏光軸変更ユニット５００は、上部基板５１０、下部基板５２０、及び偏光軸変更液晶層５３０を含む。
上部基板５１０は、上部透明基板５１２及び上部配向膜５１４を含む。上部透明基板５１２は、石英、ガラス等のような透明な物質からなり、上部透明基板５１２の全面に形成される。
【００５２】
下部基板５２０は上部基板５１０と対向するように配置され、下部透明基板５２２及び下部配向膜５２４を含む。下部透明基板５２２は、石英、ガラス等のような透明な物質からなり、上部配向膜５１４と向かい合うように下部透明基板５２２の全面に形成される。
【００５３】
偏光軸変更液晶層５３０は、上部基板５１０と下部基板５２０との間に介在して、光の偏光軸を９０°回転させる。偏光軸変更液晶層５３０は、上部基板５１０と下部基板５２０との間に平行に配置され、第２偏光軸２０に対して４５°に傾斜する液晶分子５３２からなる。
【００５４】
図６は、図５の偏光軸変更ユニットのうち、液晶分子の配列状態を示す平面図である。
図６を参照して、液晶分子５３２の配列状態を説明すると、偏光軸変更液晶層５３０の液晶分子５３２の長手方向の配列方向は、上部及び下部基板５１０、５２０に対して平行に配置される。このような液晶分子５３２のそれぞれは、下部偏光板２００の第２偏光軸２０に対して４５°に傾斜するように配置される。
【００５５】
第２偏光軸２０に対して４５°に傾斜するように配置された液晶分子５３２は、下部偏光板２００を透過した光の偏光軸を９０°回転させる。即ち、下部偏光板２００を透過して第２偏光軸２０に偏光された光は、第２偏光軸２０に対して４５°に傾斜するように配置された液晶分子５３２を透過しながら、偏光軸が９０°回転される。
【００５６】
図５の実施例によると、下部偏光板２００と表示パネル３００との間に配置された偏光軸変更ユニット５００が第２偏光軸２０に対して４５°に傾斜するように配置され光の偏光軸を９０°回転させることにより、上部及び下部偏光板１００、２００は互いに同じ偏光軸を有することができ、これによって表示パネルアセンブリは、より大型化されたサイズを有することができる。
【実施例４】
【００５７】
図７は、本発明の第４の実施例による表示パネルアセンブリを示す断面図である。本発明の第４の実施例による表示パネルアセンブリは、表示パネルを除いては、上述した図２及び図３の表示パネルアセンブリと同じ構成を有するので、その重複説明は省略して、同じ構成要素には同じ参照符号及び名称を使用する。
【００５８】
図７を参照すると、本実施例による表示パネルアセンブリは、上部偏光板１００、下部偏光板２００、偏光軸変更ユニット４００、及び表示パネル６００を含む。
【００５９】
上部偏光板１００は、光を所定の方向に偏光させる第１偏光軸１０を有する。
下部偏光板２００は、上部偏光板１００と対向するように上部偏光板１００の下方に配置され、第１偏光軸１０と同じ方向に形成された第２偏光軸２０を有する。
【００６０】
偏光軸変更ユニット４００は、上部偏光板１００と下部偏光板２００との間に配置され、一方向に偏光された光を前記一方向に対して９０°回転させる。偏光軸変更ユニット４００は、上部基板４１０、上部基板４１０と対向する下部基板４２０、及び上部基板４１０と下部基板４２０との間に介在される偏光軸変更液晶層４３０を含む。偏光軸変更液晶層４３０は、上部基板４１０と下部基板４２０との間に介在して、光の偏光軸を９０°回転させる。
【００６１】
表示パネル６００は、上部偏光板１００と偏光軸変更ユニット４００との間に配置されるか、又は、下部偏光板２００と偏光軸変更ユニット４００との間に配置され、光の透過率を変更して画像を表示する。表示パネル６００は、第１基板６１０、第２基板６２０、及び液晶層６３０を含む。
【００６２】
第１基板６１０は、第１透明基板６１２、共通電極６１４、及び複数の第１突起部６１６を含む。
第１透明基板６１２は、石英、ガラス等のような透明な物質からなる。共通電極６１４は第１透明基板６１２上に形成され、透明な導電性物質からなる。共通電極６１４には外部の電源供給ユニット（図示せず）から第１電圧が印加される。第１突起部６１６は、第１透明基板６１２に対して垂直である方向に共通電極６１４上に所定の高さに突出し、第１透明基板６１２に平行な方向に互いに所定間隔だけ離隔して配置される。
【００６３】
図示していないが、第１基板６１０は、光を透過させて色を表現するカラーフィルタを更に含むことができる。カラーフィルタを平面的に見た時、マトリックス形態に配置される。
【００６４】
第２基板６２０は第１基板６１０と対向するように配置され、第２透明基板６２２、画素電極６２４、及び複数の第２突起部６２６を含む。
第２透明基板６２２は、石英、ガラス等のような透明な物質からなる。画素電極６２４は、共通電極６１４と同じ透明な導電性物質からなり、共通電極６１４と向かい合うように第２透明基板６２２上に形成される。画素電極６２４は、カラーフィルタと対応するようにマトリックス形態に配置される。
【００６５】
画素電極６２４には、外部の電源供給ユニット（図示せず）から第１電圧と異なる第２電圧が印加される。第２突起部６２６は、画素電極６２４上に画素電極６２４の表面から所定の高さに突出し、第２透明基板６２２に平行な方向に互いに所定間隔だけ離隔して配置される。この際、第２突起部６２６は、第１突起部６１６の間、好ましくは、第１突起部６１６の中間位置に対応した位置に形成される。
【００６６】
液晶層６３０は第１基板６１０と第２基板６２０との間に配置され、第１基板６１０と第２基板６２０との間で発生した電場によって配列形態が変更される複数の液晶分子６３２で構成される。液晶分子６３２の長手方向の配列方向は、電場が発生しなかった場合、第１及び第２基板６１０、６２０に対して垂直に立つように配列され、電場が発生した場合、電場の方向に対して直交するように配列される。
【００６７】
図７を更に参照して光の通過経路を簡単に説明すると、下部偏光板２００を透過した光は、第２偏光軸２０と平行な第１方向に偏光され、更に偏光軸変更ユニット４００を透過しながら、第１方向に対して９０°回転して、第１方向と直交する第２方向に偏光される。第２方向に偏光された光は電場が発生しない表示パネル６００をそのまま透過するが、第１方向と平行な第１偏光軸１０を有する上部偏光板１００を透過しない。
【００６８】
図８は、図７で第１基板と第２基板との間に電場が発生した状態を示す断面図である。
図８を参照して表示パネル６００に電場が発生した状態での光の移動を簡単に説明すると、下部偏光板２００を透過した光は、第２偏光軸２０と平行な第１方向に偏光され、更に偏光軸変更ユニット４００を透過しながら、第１方向に対して９０°回転して第２方向に偏光される。第２方向に偏光された光は電場が発生した表示パネル６００を透過しながら、第２方向に対して９０°回転して、更に第１方向に偏光される。第１方向に偏光された光は、第１方向と平行な第１偏光軸１０を有する上部偏光板１００をそのまま透過する。
【実施例５】
【００６９】
図９は、本発明の第５の実施例による表示パネルアセンブリを示す断面図である。本発明の第５の実施例による表示パネルアセンブリは表示パネルを除いては、上述した図２及び図３の表示パネルアセンブリと同じ構成を有するので、その重複説明は省略し、同じ構成要素には同じ参照符号及び名称を使用する。
【００７０】
図９を参照すると、本実施例による表示パネルアセンブリは、上部偏光板１００、下部偏光板２００、偏光軸変更ユニット４００、及び表示パネル７００を含む。
【００７１】
上部偏光板１００は、光を所定の方向に偏光させる第１偏光軸１０を有する。
下部偏光板２００は、上部偏光板１００と対向するように上部偏光板１００の下方に配置され、第１偏光軸１０と同じ方向に形成された第２偏光軸２０を有する。
【００７２】
偏光軸変更ユニット４００は上部偏光板１００と下部偏光板２００との間に配置され、一方向に偏光された光を前記一方向に対して９０°回転させる。偏光軸変更ユニット４００は、上部基板４１０、上部基板４１０と対向する下部基板４２０、及び上部基板４１０と下部基板４２０との間に介在された偏光軸変更液晶層４３０を含む。偏光軸変更液晶層４３０は上部基板４１０と下部基板４２０との間に介在して、光の偏光軸を９０°回転させる。
【００７３】
表示パネル７００は、上部偏光板１００と偏光軸変更ユニット４００との間に配置されるか、又は下部偏光板２００と偏光軸変更ユニット４００との間に配置され、光の透過率を変更して画像を表示する。表示パネル７００は、第１基板７１０、第２基板７２０、及び液晶層７３０を含む。
【００７４】
第１基板７１０は、第１透明基板７１２及び第１配向膜７１４を含む。
第１透明基板７１２は、石英、ガラス等のような透明な物質からなる。第１配向膜７１４は、第１透明基板７１２の全面に形成される。図示していないが、第１基板７１０は、光を透過させて色を表現するカラーフィルタを更に含むことができる。
【００７５】
第２基板７２０は第１基板７１０と対向するように配置され、第２透明基板７２２、第１透明電極７２４、第２透明電極７２６、及び第２配向膜７２８を含む。
【００７６】
第２透明基板７２２は、石英、ガラス等のような透明な物質からなる。第１及び第２透明電極７２４、７２６は同じ透明な導電性物質からなり、第１配向膜７１４と向かい合うように第２透明基板７２２上に形成される。具体的には、第１及び第２透明電極７２４、７２６は第２透明基板７２２上に形成され、第２透明基板７２２の表面から所定高さを有するように第２透明基板７２２に対して垂直である方向に突出される。第１及び第２透明電極７２４、７２６は、第２透明基板７２２と平行な方向に所定距離だけ離隔して形成される。
【００７７】
第１透明電極７２４には外部の電圧発生ユニット（図示せず）から第１電圧が印加され、第２透明電極７２６には第１電圧と異なる第２電圧が印加され、第１透明電極７２４との間で電場が発生する。
【００７８】
液晶層７３０は第１基板７１０と第２基板７２０との間に配置され、第１透明電極７２４と第２透明電極７２６との間に発生した電場によって配列形態が変更される複数の液晶分子７３２で構成される。液晶分子７３２の長手方向の配列方向は、電場が発生しなかった場合、第１及び第２基板７１０、７２０に対して垂直に立つように配列され、電場が発生した場合、電場の方向に対して平行に配列される。即ち、液晶分子７３２は、電場の方向に対して平行に配列される性質を有するポジティブ液晶分子である。
【００７９】
図９を更に参照して光の通過経路を簡単に説明すると、下部偏光板２００を透過した光は、第２偏光軸２０と平行な第１方向に偏光され、更に偏光軸変更ユニット４００を透過しながら、第１方向に対して９０°回転して第１方向と直交する第２方向に偏光される。第２方向に偏光された光は電場が発生しない表示パネル７００をそのまま透過するが、第１方向と平行な第１偏光軸１０を有する上部偏光板１００を透過しない。
【００８０】
図１０は、図９で第１基板と第２基板との間に電場が発生した状態を示す断面図で、図１１は、図１０のＡ部分を拡大して示す断面図である。
【００８１】
図１０及び図１１を参照すると、第１及び第２透明電極７２４、７２６に互いに異なる電圧を印加した場合、第１透明電極７２４と第２透明電極７２６との間に電場が発生する。ここで、第１及び第２透明電極７２４、７２６が同じ層（ｌａｙｅｒ）にて所定距離だけ離隔して形成されているので、第１透明電極７２４と第２透明電極７２６との間に発生した電場は、半円形状に形成される。この際、電場の方向は、第１基板７１０と第２基板７２０との中間位置で殆ど第１及び第２基板７１０、７２０に対して平行に形成されるので、第１基板７１０と第２基板７２０との間に介在する液晶分子７３２は、第１及び第２基板７１０、７２０に対して平行に配列される。
【００８２】
図１０を更に参照して表示パネル７００に電場が発生した状態での光の通過を簡単に説明すると、下部偏光板２００を透過した光は、第２偏光軸２０と平行な第１方向に偏光され、更に偏光軸変更ユニット４００を透過しながら、第１方向に対して９０°回転して第２方向に偏光される。第２方向に偏光された光は電場が発生した表示パネル７００を透過しながら、第２方向に対して９０°回転して、更に第１方向に偏光される。第１方向に偏光された光は、第１方向と平行な第１偏光軸１０を有する上部偏光板１００をそのまま透過する。
【００８３】
本実施例では、第２基板７２０が第１及び第２透明電極７２４、７２６を含む例で説明したが、これと異なり、第２基板７２０ではない第１基板７１０に第１及び第２透明電極７２４、７２６を含むこともできる。
【実施例６】
【００８４】
図１２は、本発明の第６の実施例による表示パネルアセンブリを示す断面図である。本発明の第６の実施例による表示パネルアセンブリは表示パネルを除いては、上述した図２及び図３の表示パネルアセンブリと同じ構成を有するので、その重複説明は省略して、同じ構成要素には同じ参照符号及び名称を使用する。
【００８５】
図１２を参照すると、本実施例による表示パネルアセンブリは、上部偏光板１００、下部偏光板２００、偏光軸変更ユニット４００、及び表示パネル８００を含む。
【００８６】
上部偏光板１００は、光を所定の方向に偏光させる第１偏光軸１０を有する。
下部偏光板２００は、上部偏光板１００と対向するように上部偏光板１００の下方に配置され、第１偏光軸１０と同じ方向に形成された第２偏光軸２０を有する。
【００８７】
偏光軸変更ユニット４００は上部光板１００と下部偏光板２００との間に配置され、一方向に偏光された光を前記一方向に対して９０°回転させる。偏光軸変更ユニット４００は、上部基板４１０、上部基板４１０と対向する下部基板４２０、及び上部基板４１０と下部基板４２０との間に介在された偏光軸変更液晶層４３０を含む。偏光軸変更液晶層４３０は上部基板４１０と下部基板４２０との間に介在して、光の偏光軸を９０°回転させる。
【００８８】
表示パネル８００は、上部偏光板１００と偏光軸変更ユニット４００との間に配置されるか、又は下部偏光板２００と偏光軸変更ユニット４００との間に配置され、光の透過率を変更して画像を表示する。表示パネル８００は、第１基板８１０、第２基板８２０、及び液晶層８３０を含む。
【００８９】
第１基板８１０は、第１透明基板８１２及び第１配向膜８１４を含む。
第１透明基板８１２は、石英、ガラス等のような透明な物質からなる。第１配向膜８１４は、第１透明基板８１２の全面に形成される。図示していないが、第１基板８１０は、光を透過させて色を表現するカラーフィルタを更に含むことができる。
【００９０】
第２基板８２０は第１基板８１０と対向するように配置され、第２透明基板８２２、第１透明電極８２４、絶縁膜８２６、複数の第２透明電極８２８、及び第２配向膜８２９を含む。
【００９１】
第２透明基板８２２は、石英、ガラス等のような透明な物質からなる。第１透明電極８２４は同じ透明な導電性物質からなり、第１配向膜８１４と向かい合うように第２透明基板８２２の全面に形成される。第１透明電極８２４には外部の電圧発生ユニット（図示せず）から第１電圧が印加される。
【００９２】
絶縁膜８２６は、第２透明基板８２２と垂直な方向に所定の厚みを有するように第１透明電極８２４の全面に形成される。第２透明電極８２８は、絶縁膜８２６の上の一部領域に配置される。第２透明電極８２８は、第２透明基板８２２の表面から所定の高さを有するように第２透明基板８２２に対して垂直な方向に突出する。第２透明電極８２８は、第２透明基板８２２に平行な方向に所定距離だけ離隔して配置される。第２透明電極８２８には第１電圧と異なる第２電圧が印加され、第１透明電極８２４との間で電場が発生する。
【００９３】
液晶層８３０は第１基板８１０と第２基板８２０との間に配置され、第１透明電極８２４と第２透明電極８２８との間に発生した電場によって配列形態が変更される複数の液晶分子８３２からなる。液晶分子８３２の長手方向の配列方向は、電場が発生しなかった場合、第１及び第２基板８１０、８２０に対して垂直に立つように配列され、電場が発生した場合、電場の方向に対して平行に配列される。即ち、液晶分子８３２は、電場の方向に対して平行に配列される性質を有するポジティブ液晶分子である。
【００９４】
図１２を更に参照して光の通過経路を簡単に説明すると、下部偏光板２００を透過した光は、第２偏光軸２０と平行な第１方向に偏光され、更に偏光軸変更ユニット４００を透過しながら、第１方向に対して９０°回転して第１方向と直交する第２方向に偏光される。第２方向に偏光された光は、電場が発生しない表示パネル８００をそのまま透過するが、第１方向と平行な第１偏光軸１０を有する上部偏光板１００を透過しない。
【００９５】
図１３は、図１２で第１及び第２基板の間に電場が発生した状態を示す断面図で、図１４は、図１３のＢ部分を拡大して示す断面図である。
【００９６】
図１３及び図１４を参照すると、第１及び第２透明電極８２４、８２８に互いに異なる電圧を印加する場合、第１透明電極８２４と第２透明電極８２８との間に電場が発生する。ここで、第１及び第２透明電極８２４、８２８が絶縁膜８２６を挟んで互いに他の層に形成されているので、第１透明電極８２４と第２透明電極８２８との間に発生した電場は半円形状に形成される。この際、電場の方向は、第１基板８１０と第２基板８２０との中間位置で殆ど第１及び第２基板８１０、８２０に対して平行に形成されるので、第１基板８１０と第２基板８２０との間に介在する液晶分子８３２は、第１及び第２基板８１０、８２０に対して平行に配列される。
【００９７】
図１３を更に参照して、表示パネル８００に電場が発生した状態での光の通過を簡単に説明すると、下部偏光板２００を透過した光は、第２偏光軸２０と平行な第１方向に偏光され、更に偏光軸変更ユニット４００を透過しながら、第１方向に対して９０°回転して第２方向に偏光される。第２方向に偏光された光は、電場が発生した表示パネル８００を透過しながら、第２方向に対して９０°回転して、更に第１方向に偏光される。第１方向に偏光された光は第１方向と平行な第１偏光軸１０を有する上部偏光板１００をそのまま透過する。
【００９８】
本実施例では、第２基板８２０に第１透明電極８２４、絶縁膜８２６、及び第２透明電極８２８を含む例を説明したが、これとは異なり、第２基板８２０ではない第１基板８１０が第１透明電極８２４、絶縁膜８２６、及び第２透明電極８２８を含むこともできる。
【００９９】
尚、本発明は、上述の実施例に限られるものではない。本発明の技術的範囲から逸脱しない範囲内で多様に変更実施することが可能である。
【図面の簡単な説明】
【０１００】
【図１】本発明の第１の実施例による表示パネルアセンブリを示す分解斜視図である。
【図２】図１のＩ−Ｉ’線に沿って切断した断面図である。
【図３】図２で第１基板と第２基板との間に電場が発生した状態を示す断面図である。
【図４】本発明の第２の実施例による表示パネルアセンブリを示す断面図である。
【図５】本発明の第３の実施例による表示パネルアセンブリを示す断面図である。
【図６】図５の偏光軸変更ユニットのうち、液晶分子の配列状態を示す平面図である。
【図７】本発明の第４の実施例による表示パネルアセンブリを示す断面図である。
【図８】図７で第１基板と第２基板との間に電場が発生した状態を示す断面図である。
【図９】本発明の第５の実施例による表示パネルアセンブリを示す断面図である。
【図１０】図９で第１基板と第２基板との間に電場が発生した状態を示す断面図である。
【図１１】図１０のＡ部分を拡大して示す断面図である。
【図１２】本発明の第６の実施例による表示パネルアセンブリを示す断面図である。
【図１３】図１２で第１基板と第２基板との間に電場が発生した状態を示す断面図である。
【図１４】図１３のＢ部分を拡大して示す断面図である。
【符号の説明】
【０１０１】
１０        第１偏光軸
２０        第２偏光軸
１００      上部偏光板
２００      下部偏光板
３００、６００、７００、８００    表示パネル
３１０、６１０、７１０、８１０    第１基板
３１２、６１２、７１２、８１２    第１透明基板
３１４、６１４、７１４、８１４    共通電極
３１６、    第１配向膜
３２０、６２０、７２０、８２０    第２基板
３２２、６２２、７２２、    第２透明基板
３２４、６２４、    画素電極
３２６、７２８、８２９    第２配向膜
３３０、６３０、７３０、８３０    液晶層
３３２、４３２、５３２、６３２、７３２、８３２    液晶分子
４００、５００      偏光軸変更ユニット
４１０、５１０      上部基板
４１２、５１２    上部透明基板
４１４、５１４    上部配向膜
４２０、５２０      下部基板
４２２、５２２    下部透明基板
４２４、５２４    下部配向膜
４３０、５３０      偏光軸変更液晶層
６１６      第１突起部
６２６      第２突起部
７２４、８２４    第１透明電極
７２６、８２８    第２透明電極
８２６      絶縁膜
【図１】
2007213071.tif 000003
【図２】
2007213071.tif 000004
【図３】
2007213071.tif 000005
【図４】
2007213071.tif 000006
【図５】
2007213071.tif 000007
【図６】
2007213071.tif 000008
【図７】
2007213071.tif 000009
【図８】
2007213071.tif 000010
【図９】
2007213071.tif 000011
【図１０】
2007213071.tif 000012
【図１１】
2007213071.tif 000013
【図１２】
2007213071.tif 000014
【図１３】
2007213071.tif 000015
【図１４】
2007213071.tif 000016